(57)【特許請求の範囲】
【請求項１】
地質調査を実施する敷地に対して区画を分割する地質調査用区画表示装置であって、
第１の内部空間を具備するケース部と、
前記第１の内部空間に収容され第１の内部空間を分割する固定軸部と、
前記固定軸部の上部に位置するように前記１の内部空間に収容され、前記ケース部の外部に引き出されながら他の区画表示装置の設置地点をガイドするための第１の表示ラインを含む第１の区画表示部と、
前記固定軸部の下部に位置するように前記１の内部空間に収容され、前記第１の表示ラインと異なる方向に前記ケース部の外部に引き出されながらまた他の区画表示装置の設置地点をガイドするための第２の表示ラインを含む第２の区画表示部と、
前記ケース部及び前記固定軸部を貫通する打撃棒、前記ケース部の底面部を支持するように前記打撃棒の一端部に形成された支持板及び前記支持板から延長され前記敷地に挿入される打ち込みピンを具備する打ち込みピン部と、を含むことを特徴とする地質調査用区画表示装置。
【請求項２】
前記ケース部は、
底面部と、
前記底面部の縁部から垂直に延長され、前記第１の表示ラインが引き出されるための第１の引出孔及び第２の表示ラインが引き出されるための第２の引出孔を具備する側面部と、
前記側面部の上端に着脱可能に結合された蓋部と、を含むことを特徴とする請求項１に記載の地質調査用区画表示装置。
【請求項３】
前記固定軸部は、
前記第１の内部空間を２個の空間に分割し前記打撃棒が貫通する第１の孔を具備する隔板と、
前記隔板の上部面から上部に突出され、前記打撃棒が貫通できる第１の孔と連結された第２の孔を具備する上部軸管と、
前記隔板の下部面から下部に突出され、前記打撃棒が貫通するように前記第１の孔と連結された第３の孔を具備する下部軸管と、を含むことを特徴とする請求項２に記載の地質調査用区画表示装置。
【請求項４】
前記第１の区画表示部は、前記上部軸管が貫通する孔を具備した第１の底面部及び前記第１の底面部の縁部から前記第１の底面部に垂直に延長された第１の巻取部を具備する第１のドラムと、前記第１の巻取部の外面に巻き取られた第１の表示ライン及び前記隔板及び前記第１の巻取部の内部面により形成された空間に収納され前記上部軸管に結合された第１の端部及び前記第１の表示ラインに結合された第１の端部を具備する第１の復元スプリングと、を含み、
前記第２の区画表示部は、前記下部軸管が貫通するホールを具備した第２の底面部及び前記第２の底面部の縁部から前記第２の底面部に垂直に延長された第２の巻取部を具備する第２のドラムと、前記第２の巻取部の外面に巻き取られた第２の表示ライン及び前記隔板及び前記第２の巻取部の内部面により形成された空間に収納され前記下部軸管に結合された第２の端部及び前記第２の表示ラインに結合された第２の端部を具備する第２の復元スプリングと、を含むことを特徴とする請求項３に記載の地質調査用区画表示装置。
【請求項５】
他の区画表示装置と連結するための連結部をさらに含み、
前記連結部は、前記ケース部の外部に引き出される前記第１の表示ライン及び前記第２の表示ラインの一端に各々具備される第１の連結フック及び第２の連結フックと、
前記ケース部の側面部の外面のうち前記第１の表示ラインが引き出される地点と反対側に結合された第１のフック連結環と、
前記ケース部の側面部の外面のうち前記第２の表示ラインが引き出される地点と反対側に結合された第２のフック連結環と、を含むことを特徴とする請求項１乃至請求項４のいずれか１項に記載の地質調査用区画表示装置。
【請求項６】
前記ケース部の側面部を貫通する前記隔板に結合される固定ボルトをさらに含むことを特徴とする請求項１乃至請求項４のいずれか１項に記載の地質調査用区画表示装置。
【請求項７】
前記ケース部の側面部に結合された水平調節部をさらに含み、
前記水平調節部は、前記ケース部の側面部の外面に結合され第１の方向に沿って延長された第１の水平計と、
前記ケース部の側面部の外面に結合され前記第１の方向に垂直の第２の方向に沿って延長された第２の水平計と、を含むことを特徴とする請求項１乃至請求項４のいずれか１項に記載の地質調査用区画表示装置。
【請求項８】
表示ラインガイド部をさらに含み、
前記表示ラインガイド部は、前記ケース部の底面部と前記打ち込みピン部の支持板との間に固定され、前記ケース部の底面部より大きいサイズを有するプレート形状を有し、前記第１の表示ラインの引き出し方向をガイドする第１のライン及び前記第２の表示ラインの引き出し方向をガイドする第２のラインが形成された上部面を具備することを特徴とする請求項７に記載の地質調査用区画表示装置。
【発明の詳細な説明】
【技術分野】
【０００１】
本発明は、地質調査用区画表示装置に関し、より詳しくは、地質調査が行われる敷地に対して区画を分けて表示するための地質調査用区画表示装置に関する。
【背景技術】
【０００２】
地質調査は、ある地域の岩石及び地層の分布と相互関係、地質時代、地質構造などのような地質現象を明らかにするために実施する調査として、資源の開発、国土の合理的な利用、地質系統の確立などのために基礎資料を提供することを目的とする。
【０００３】
また、地質調査は、建築物の建設を目的で建設敷地の地質を確認するための事前作業としても実施される。
【０００４】
地質調査のためには、まず、地質調査を実施する地域を選定し、地質調査が行われる地域の敷地に対して区画を分けて表示する。
【０００５】
従来の地質調査が行われる敷地に対して区画を分けて表示する過程は、地表面に長い杭を垂直で多数打ち込んだ後、杭に帯を取り巻いて区画を表示した。
【０００６】
このような従来の方法は、区画を表示する過程が複雑なので区画を表示するために長期間が必要となり、長い杭を地表面に打ち込む過程で長い杭が曲がるか割れるなどの問題が発生して長い杭を打ち込む過程が難しかった。
【０００７】
また、地表面が平坦ではなくてデコボコするか句配となっている状況では、杭を打ち込む位置を把握しにくいので、区画を表示するために一層長期間が必要となる問題があった。
【０００８】
また、区画を表示した杭及び杭に取り巻いた帯を除去すれば、除去された杭及び帯はそのまま廃棄されて産廃が発生する問題があった。
【発明の概要】
【発明が解決しようとする課題】
【０００９】
したがって、本発明は上述したような従来技術の問題点を解決するためになされたもので、その目的は、地表面が平坦な場合及び地表面がデコボコするか句配となっている区画地点を容易に把握しにくい場合にも地質調査のための敷地に対して迅速で且つ簡単に区画を分けて表示することができ、設置及び除去が容易であり、区画表示装置の傾くことなしに水平に地表面に固定することができる地質調査用区画表示装置を提供することにある。
【課題を解決するための手段】
【００１０】
上記目的を達成するための本発明の一実施形態による地質調査用区画表示装置は、地質調査を実施する敷地に対して区画を分けて表示するための地質調査用区画表示装置であって、ケース部と、前記ケース部の内部に収容される固定軸部と、前記固定軸部に結合されて前記ケース部の内部に収容され、前記ケース部の外部に引き出されながら他の区画表示装置の設置地点をガイドするための表示ラインを有する区画表示部と、前記固定軸部に結合されて区画表示装置の設置時に地表面に打ち込んで区画表示装置を地表面に固定するための打ち込みピン部と、を含むことができる。
【００１１】
本発明の一実施形態において、前記ケース部は、前記固定軸部及び前記区画表示部が収容される内部空間を有し、前記固定軸部は、前記ケース部の内部空間を２個の空間に分割する隔板と、前記隔板の上部面から上部に突き出される上部軸管と、前記隔板の下部面から下部に突き出される下部軸管と、を含み、前記区画表示部は、前記隔板の上部に位置して前記ケース部に収納される第１の区画表示部及び前記隔板の下部に位置して前記ケース部に収納される第２の区画表示部を含むことができる。
【００１２】
前記打ち込みピン部は、前記隔板と前記上部軸管及び前記下部軸管に結合される打撃棒と、前記打撃棒の下部に具備されて前記打撃棒が前記隔板と前記上部軸管及び前記下部軸管に結合される時前記ケース部の底面部に支持される支持板と、前記支持板の底面から下部に垂直に長く延長される打ち込みピンと、を含むことができる。
【００１３】
前記第１の区画表示部は、前記上部軸管に結合され前記ケース部に収納される第１のドラムと、前記第１のドラムに巻き取られており、一端が前記第１のドラムから解けながら前記ケース部の外部に引き出される第１の表示ラインと、前記第１のドラムの内側に設置され前記第１の表示ラインと連結されて復元力を利用して前記ケース部の外部に引き出された前記第１の表示ラインを前記第１のドラムに巻き取るための第１の復元スプリングと、を含むことができ、前記第２の区画表示部は、前記下部軸管に結合され前記ケース部に収納される第２のドラムと、前記第２のドラムに巻き取られており、一端が前記第２のドラムから解けながら前記ケース部外部に引き出される第２の表示ラインと、前記第２のドラムの内側に設置され前記第２の表示ラインと連結されて復元力を利用して前記ケース部の外部に引き出された前記第２の表示ラインを前記第２のドラムに巻き取るための第２の 復元スプリングと、を含むことができる。
【００１４】
前記ケース部は、前記第１の表示ラインを引き出すための第１の引出孔及び前記第２の表示ラインを引き出すための第２の引出孔を含むことができる。
【００１５】
本発明の他の実施形態において、前記ケース部、前記第１の表示ライン及び前記第２の表示ラインに具備され、区画表示装置の設置時に周りの他の区画表示装置に前記第１の表示ライン及び前記第２の表示ラインを連結するための連結部をさらに含むことができる。
【００１６】
前記連結部は、前記ケース部の外部に引き出される前記第１の表示ラインの一端に具備される第１の連結フック及び前記ケース部の外部に引き出される前記第２の表示ラインの一端に具備される第２の連結フックと、前記ケース部の外面に具備され区画表示装置の設置時に周りの他の区画表示装置が有する前記第１の連結フックまたは前記第２の連結フックが締結される第１のフック連結環及び第２のフック連結環と、を含むことができる。
【００１７】
本発明のまた他の実施形態において、前記ケース部の側面部を貫通して前記隔板に結合され前記固定軸部に結合される前記打ち込みピン部の前記打撃棒を加圧して固定するための固定ボルトをさらに含むことができる。
【００１８】
本発明のまた他の実施形態において、区画表示装置を地表面に設置する時、区画表示装置が傾かないで正確な水平をなして地表面に固定されるように前記ケース部の側面部に具備される水平調節部をさらに含むことができる。
【００１９】
前記水平調節部は、前記ケース部の側面部の一側で端部が第１の横方向に向くように具備される第１の水平計及び前記ケース部の側面部の他の一側で端部が第２の横方向に向くように具備される第２の水平計を含むことができる。
【発明の効果】
【００２０】
本発明の地質調査用区画表示装置によれば、地表面が平坦な場合及び地表面がデコボコするか句配となって区画地点を容易に把握しにくい場合にも地質調査のための敷地に対して迅速で且つ簡単に区画を分けて表示することができ、設置及び除去が容易であり、区画表示装置の傾くことなしに水平に地表面に固定することができる効果がある。
【図面の簡単な説明】
【００２１】
【図１】本発明の第１の実施形態による地質調査用区画表示装置の構成を示す分解斜視図である。
【図２】図１の結合斜視図である。
【図３】図２の結合断面図である。
【図４】図２の蓋が分離された状態の平面図である。
【図５】本発明の第１の実施形態による地質調査用区画表示装置の表示ラインが引き出された状態を示す平面図である。
【図６】本発明の他の実施形態による地質調査用区画表示装置の構成を示す平面図である。
【図７】図６に示された区画表示装置が多数設置されてお互いに連結された状態を示す平面図である。
【図８】本発明のまた他の実施形態による地質調査用区画表示装置の一部を示す斜視図である。
【図９】図８に示された固定ボルトが結合された状態の地質調査用区画表示装置を示す斜視図である。
【図１０】本発明のまた他の実施形態による地質調査用区画表示装置の構成を示す斜視図である。
【図１１】図１０に示された地質調査用区画表示装置の平面を示す平面図である。
【図１２】本発明の第２の実施形態による区画表示装置を説明するための分解斜視図である。
【発明を実施するための形態】
【００２２】
以下、添付した図面を参照して本発明の実施形態による地質調査用区画表示装置について詳細に説明する。本発明は、多様に変更可能であり、さまざまな実施形態を有することができる。ここでは、特定の実施形態を図面に例示して詳細に説明する。しかし、これは本発明の好ましい実施態様に過ぎず、本発明の実施の範囲を限定するものではなく、本発明の明細書及び図面内容に基づいてなされた均等な変更および付加は、いずれも本発明の特許請求の範囲内に含まれるものとする。各図面の説明において、類似な参照符号は類似な構成要素に対して使用した。添付図面において、構造物の寸法は本発明の明確性のために実際より拡大して示した。
【００２３】
第１、第２などの用語は、多様な構成要素を説明するために使用してたもので、前記構成要素は前記用語により限定されるものではない。前記用語は、一つの構成要素を他の構成要素から区別する目的のみで使われる。例えば、本発明の権利範囲を脱しない範囲で、第１の構成要素は第２の構成要素に命名することができ、類似に第２の構成要素も第１の構成要素に命名することができる。
【００２４】
本出願で使用した用語は、但し、特定の実施形態を説明するために使用されたもので、本発明はこれに限定されるものではない。単数の表現は、文脈上明示しない限り複数の表現を含む。本出願において、「含む」または「有する」などの用語は、明細書上に記載された特徴、数字、ステップ、動作、構成要素、部品またはこれらを組み合わせたものが存在することを指定するもので、一つまたはその以上の他の特徴や数字、ステップ、動作、構成要素、部品またはこれらを組み合わせたものなどの存在または付加可能性をあらかじめ排除しないことに理解されるはずである。
【００２５】
特定しない限り、技術的や科学的な用語を含んでここで使用されるすべての用語は、本発明が属する技術分野で通常の知識を有した者が一般的に理解できるものと同等の意味を有している。一般的に使用される辞典に定義されている用語は、関連技術の文脈上の意味と一致する意味を有するものと解釈し、本出願において明白に定義しない限り、理想的や過度に形式的な意味に解釈されない。
【００２６】
＜第１の実施形態＞
図１は、本発明の第１の実施形態による地質調査用区画表示装置の構成を示す分解斜視図であり、図２は、図１の結合斜視図であり、図３は、図２の結合断面図であり、図４は、図２の蓋が分離された状態の平面図である。
【００２７】
図１乃至図４を参照すれば、本発明の第１の実施形態による地質調査用区画表示装置１は、ケース部１０と、固定軸部２０と、区画表示部４０、４０’と、打ち込みピン部５０と、を含む。
【００２８】
ケース部１０は、内部に固定軸部２０及び区画表示部４０、４０’を収容することができる。一例として、ケース部１０は、固定軸部２０及び区画表示部４０、４０’を収容する内部空間を形成するために、底面部１１、側面部１２及び蓋部１３を含む。
【００２９】
底面部１１は、円形プレートまたは直四角形プレート状を有することができる。底面部の中央には打ち込みピン部５０の打撃棒５１が挿入されるための挿入孔１１ａを形成される。
【００３０】
側面部１２は、底面部１１の縁部から上側に垂直に延長される。一例として、側面部１２は、底面部１１と一体に形成することができる。側面部１２は、第１の引出孔１２ａ及び第２の引出孔１２ｂを具備する。第１の引出孔１２ａでは、区画表示部４０、４０’の中で後述する第１の区画表示部４０の第１の表示ライン４３が外部に引き出され、第２の引出孔１２ｂでは、区画表示部４０、４０’の中で後述する第２の区画表示部４０’の第２の表示ライン４３’が外部に引き出される。第１の引出孔１２ａ及び第２の引出孔１２ｂは、第１の表示ライン４３及び第２の表示ライン４３’がお互いに直角をなして引出されるように側面部１２に形成される。第２の引出孔１２ｂは、第１お引出孔１２ａより下側に位置することができる。
【００３１】
蓋部１３は、底面部１１と対向して位置し、ケース部１０の内部空間を開閉するように側面部１２の上端に着脱可能に結合される。一例として、蓋部１３は螺合により側面部１２に結合される。この場合、側面部１２の外部面の上端及び蓋部１３の内側面には、各々お互いに結合できるネジ山を形成される。蓋部１３の中央には打撃棒５１が貫通する孔１３ａが形成される。
【００３２】
このようなケース部１０は、金属、プラスチックなどの材質で形成することができ、一定な強度を有する材質であれば、ケース部１０の材質は特別に制限されない。
【００３３】
固定軸部２０は、ケース部１０の内部空間を２個の空間に分割し区画表示部４０、４０’が固定された位置に収納されるようにする。固定軸部２０は、隔板２１、上部軸管２２及び下部軸管２３を含むことができる。
【００３４】
隔板２１は、ケース部１０の内部空間を２個の空間に分割する。隔板２１は、ケース部１０の内部空間の断面とほとんど同一な大きさのプレート形状を有する。
【００３５】
上部軸管２２及び下部軸管２３は、前記ケース部１０の内部空間に収納される各々の区画表示部４０、４０’のうち後述する第１の区画表示部４０及び第２の区画表示部４０’の中心部を隔板２１の中心部と一致させる。上部軸管２２は隔板２１の上部面から上部に突出形成することができ、下部軸管２３は隔板２１の下部面から下部に突出形成することができる。各々の隔板２１、上部軸管２２及び下部軸管２３には、打撃棒５１が貫通できるようにお互いに連結された孔２４が形成される。上部軸管２２には、第１の切開部２２ａが具備され、下部軸管２３には、第２の切開部２３ａが具備される。第１の切開部２２ａは、区画表示部４０、４０’のうち後述する第１の区画表示部４０が有する第１の復元スプリング４２の一端を上部軸管２２に固定させ、第２の切開部２３ａは、区画表示部４０、４０’のうち後述する第２の区画表示部４０’が有する第２の復元スプリング４２’の一端を下部軸管２３に固定させる。
【００３６】
このような固定軸部２０は、金属、プラスチックなどの材質で形成することができ、一定な強度を有する材質であれば、固定軸部２０の材質は特別に制限されない。また、固定軸部２０の材質は、ケース部１０の材質と同一な材質で形成してもよいし、ケース部１０の材質と異なる材質で形成してもよい。
【００３７】
区画表示部４０、４０’は、地質調査のための敷地を正四角形または直四角形の形態で区画して表示することができる。区画表示部４０、４０’は、固定軸部２０の隔板２１を間に置いてケース部１０の内部空間に収納される第１の区画表示部４０及び第２の区画表示部４０’を含むことができる。
【００３８】
第１の区画表示部４０は、隔板２１により２個の空間に分割されたケース部１０の内部空間の中で上部側空間に収納される。第１の区画表示部４０は、第１のドラム４１、第１の復元スプリング４２及び第１の表示ライン４３を含むことができる。
【００３９】
第１のドラム４１は、第１の復元スプリング４２を収容し、第１の表示ライン４３を巻き取ることができる。一例として、第１のドラム４１は、第１の復元スプリング４２を収容して第１の表示ライン４３を巻き取るために、第１の底部４１ａ及び第１の巻取部４１ｂを含む。第１の底部４１ａは、円形を有するプレートであってもよいし、中央に上部軸管２２が貫通する孔が形成される。第１のドラム４１は、第１の底部４１ａの孔に挿入された上部軸管２２を回転軸として回転することができる。第１の巻取部４１ｂは、第１のドラム４１の側面を形成し第１の底部４１ａの縁部から上側に垂直に延長される。一例として、第１の底部４１ａと第１の巻取部４１ｂは、一体に形成することができる。第１の巻取部４１ｂは、円筒管形状を有することができ、第１の巻取部４１ｂの内部空間は、第２の復元スプリング４２が挿入されるように上部が開放される。第１の巻取部４１ｂの一側には、第１の表示ライン４３が内部に挿入されるための挿入孔が形成される。第１のドラム４１は、金属、プラスチックなどの材質で形成することができ、一定な強度を有する材質であれば、第１のドラム４１の材質は特別に制限されない。また、第１の底部４１ａと第１の巻取部４１ｂは、お互いに同一な材質またはお互いに異なる材質で形成することができる。
【００４０】
第１の復元スプリング４２は、第１のドラム４１から引き出された第１の表示ライン４３をさらに第１のドラム４１に巻き取る。第１の復元スプリング４２は、第１のドラム４１の内部空間に収納される。第１の復元スプリング４２では、例えば、通常の胎葉スプリングを使用することができる。第１の復元スプリング４２の内側端部は上部軸管２２の第１の切開部２２ａに固定され、第１の復元スプリング４２の外側端部は第１の巻取部４１ｂに形成された孔を通じて挿入された第１の表示ライン４３の一端部と結合される。
【００４１】
第１の表示ライン４３は、所定の長さを有して第１のドラム４１に巻き取られる。一例として、第１の表示ライン４３は、第１のドラム４１に巻き取られるように一端が第１のドラム４１の巻取部４１ｂが有する挿入孔に挿入されて第１の復元スプリング４２の外側端部に固定される。第１の表示ライン４３の他端は、ケース部１０の側面部１２が有する第１の引出孔１２ａを通じてケース部１０の外部に引き出される。このように第１の表示ライン４３が第１のドラム４１及び第１の復元スプリング４２と連結される場合、第１の表示ライン４３が引かれてケース部１０の外部に引き出される過程で、第１のドラム４１が上部軸管２２を中心として回転しながら第１の表示ライン４３が第１のドラム４１から解除され、引かれた第１の表示ライン４３を放すと、第１の表示ライン４３は第１の復元スプリング４２の復元力により第１のドラム４１にさらに巻き取られる。
【００４２】
第２の区画表示部４０’は、隔板２１により２個の空間に分割されたケース部１０の内部空間の中で下部側空間に収納される。第２の区画表示部４０’は、第２のドラム４１’、第２の復元スプリング４２’及び第２の表示ライン４３’を含むことができる。
【００４３】
第２のドラム４１’は、第２の復元スプリング４２’を収容し、第２の表示ライン４３’を巻き取ることができる。一例として、第２のドラム４１’は、第２の復元スプリング４２’を収容して第２の表示ライン４３を巻き取るために、第２の底部４１ａ’及び第２の巻取部４１ｂ’を含む。第２の底部４１ａ’は、円形を有するプレートであってもよいし、中央に下部軸管２３が貫通する孔を形成される。第２の巻取部４１ｂ’は、第２のドラム４１’の側面を形成し第２の底部４１ａ’の縁部から上側に垂直に延長される。一例として、第２の底部４１ａ’と第２の巻取部４１ｂ’は一体に形成することができる。第２の巻取部４１ｂ’は円筒形状を有することができ、第２の巻取部の内部空間は第２の復元スプリング４２’が挿入されるように上部が開放される。第２の巻取部４１ｂ’の一側には第２の表示ライン４３’が内部に挿入されるための挿入孔が形成される。第２のドラム４１’は、金属、プラスチックなどの材質で形成することができ、一定な強度を有する材質であれば、第２のドラム４１’の材質は特別に制限されない。また、第２の底部４１ａ’と第２の巻取部４１ｂ’は、お互いに同一な材質またはお互いに異なる材質で形成することができる。
【００４４】
第２の復元スプリング４２’は、第２のドラム４１’から引き出された第２の表示ライン４３’をさらに第２のドラム４１’に巻き取る。第２の復元スプリング４２’は、第２のドラム４１’の内部空間に収納される。第２の復元スプリング４２’では、通常の胎葉スプリングを使用することができる。第２の復元スプリング４２’の内側端部は下部軸管２３の第２の切開部２３ａに固定され、第２の復元スプリング４２’の外側端部は第２の巻取部４１ｂ’に形成された孔を通じて挿入された第２の表示ライン４３’の一端部と結合される。
【００４５】
第２の表示ライン４３’は、所定の長さを有し、第２のドラム４１’に巻き取られる。一例として、第２の表示ライン４３’は、第２のドラム４１’に巻き取られるように一端が第２のドラム４１’の巻取部４１ｂ’が有する挿入孔に挿入されて第２の復元スプリング４２’の外側端部に固定される。第２の表示ライン４３’の他端は、ケース部１０の側面部１２が有する第２の引出孔１２ｂを通じてケース部１０の外部に引き出される。このように第２の表示ライン４３’が第２のドラム４１’及び第２の復元スプリング４２’と連結される場合、第２の表示ライン４３’が引かれてケース部１０の外部に引き出される過程で、第２のドラム４１’が下部軸管２３を中心として回転しながら第２の表示ライン４３’が第２のドラム４１’から解除され、引かれた第２の表示ライン４３’を放すと、第２の表示ライン４３’は第２の復元スプリング４２’の復元力により第２のドラム４１’にさらに巻き取られる。
【００４６】
打ち込みピン部５０は、区画表示装置１を地表面に固定させる。打ち込みピン部５０は固定軸部２０及びケース部１０に結合される。一例として、打ち込みピン部５０は、固定軸部２０及びケース部１０に結合されて区画表示装置１を地表面に固定するために、打撃棒５１、支持板５２及び打ち込みピン５３を含むことができる。
【００４７】
打撃棒５１は、区画表示装置１を地表面に固定する時、打ち込みピン５３が地表面に打ち込まれるようにハンマーなどを利用して打撃する。打撃棒５１は、隔板２１、上部軸管２２及び下部軸管２３が有する孔２４の断面とほとんど同一な大きさの直径を有する垂直で長い棒状で具備することができる。打撃棒５１は、ケース部１０の底面部に形成される挿入孔１１ａ、隔板２１、上部軸管２２及び下部軸管２２が有する孔２４、そして及びケース部の蓋部に形成された孔１３ａに強制挿入されて固定軸部２０に結合される。
【００４８】
支持板５２は、打撃棒５１の下部に配置されて打撃棒５１が固定軸部２０に強制挿入される長さを制限し、ケース部１０が自重または外部衝撃により打撃棒５１に沿って下降することを防止する。支持板５２は、円形または四角、六角などの多角形状を有するプレートであってもよいし、打撃棒５１が固定軸部２０に結合される時ケース部１０の底面部１１に支持される。
【００４９】
打ち込みピン５３は、支持板５２の底面中央から垂直に下側に長く延長される。打ち込みピン５３は、地表面に打ち込まれるように先端が鋭く形成され、ある程度の強度を有しながら打撃棒５１及び支持板５２より小さい直径で具備される。
【００５０】
このような打ち込みピン部５０は、外部打撃を耐えることができる強度を有した材質、例えば、金属などの材質で形成することができ、地表面に打ち込まれる一定な強度を有する材質であれば、打ち込みピン部５０の材質は特別に制限されない。
【００５１】
本発明の第１実施形態による地質調査用区画表示装置１は、地質の調査のための敷地に区画を分けて表示するために地表面に固定するとき、ハンマーなどを利用して打撃棒５１を打撃して打ち込みピン５３が地表面に打ち込まれるようにして地表面に区画表示装置１を固定する。図５は、本発明の第１実施形態による地質調査用区画表示装置の表示ラインが引き出された状態を示した平面図として、図５を参照すれば、区画表示装置１が地表面に固定されると、第１の表示ライン４３及び第２の表示ライン４３’をケース部１０の外部に引き出す。このとき、第１引出孔１２ａ及び第２の引出孔１２ｂの前方側に長く引き出せば、第１の表示ライン４３及び第２の表示ライン４３’が他の区画表示装置１が固定される位置をガイドするので、他の区画表示装置１の固定位置を容易に把握することができる。これによって、平坦な地表面及び地表面の高さが一定ではない、すなわち地表面がデコボコするか句配となっている区画地点を容易に把握しにくい場合にも地質調査のための敷地に対して区画を分けて表示する過程を迅速に行うことができる。
【００５２】
図６は、本発明の第１の実施形態による地質調査用区画表示装置の他の実施例の構成を示した平面図であり、図７は、図６に示された区画表示装置が多数設置されてお互いに連結された状態を示した平面図である。
【００５３】
図６及び図７を参照すれば、本発明の第１実施形態による地質調査用区画表示装置１は、連結部６０をさらに含むことができる。
【００５４】
連結部６０は、区画表示装置１を地表面に設置する時、周りの他の区画表示装置１に第１の表示ライン４３及び第２の表示ライン４３’を連結する。一例として、連結部６０は、第１の連結フック６１及び第２の連結フック６２、第１のフック連結環６３及び第２のフック連結環６４を含むことができる。
【００５５】
第１の連結フック６１は、ケース部１０の第１の引出孔を通じて引き出される第１の表示ライン４３の一端に具備することができ、第２の連結ホック６２は、ケース部１０の第２の引出孔を通じて引き出される第２の表示ライン４３’の一端に具備することができる。
【００５６】
第１のフック連結環６３及び第２のフック連結環６４は、お互いに隣接する区画表示装置１の第１の連結フック６１及び第２の連結フック６２を各々固定させる。第１のフック連結環６３及び第２のフック連結環６４は、ケース部１０の側面部１２に設置することができる。第１のフック連結環６３は、第２の連結フック６２と反対方向に位置され、第２のフック連結環６４は、第１の連結フック６１と反対方向に位置することができる。
【００５７】
このように連結部６０がさらに具備される場合、図７に示したように、区画表示装置１を地表面に固定した状態で各区画表示装置１が有する第１の表示ライン４３及び第２の表示ライン４３’をお互いに隣接する区画表示装置１に連結することができる。
【００５８】
図８は、本発明の第１の実施形態による地質調査用区画表示装置のまた他の実施例の構成を説明するための分解斜視図であり、図９は、図８に示された固定ボルトが結合された状態の地質調査用区画表示装置を示した斜視図である。
【００５９】
図８及び図９を参照すれば、本発明の第１の実施形態による地質調査用区画表示装置１は固定ボルト７０をさらに含むことができる。
【００６０】
固定ボルト７０は、ケース部１０と固定軸部２０を結合させることができる。一例として、ケース部１０の側面部１２には、固定ボルト７０が貫通するための貫通孔１４が形成され、固定軸部２０の隔板２１には貫通孔１４に対応するように形成されてケース部１０の側面部１２を貫通した固定ボルト７０が螺合されるネジ孔２１ａが形成される。このように固定ボルト７０によりケース部１０と固定軸部２０が結合される場合、固定軸部２０が定まった位置に固定された状態でケース部１０の内部空間に収容される。
【００６１】
図１０は、本発明の第１の実施形態による地質調査用区画表示装置のまた他の実施例の構成を示した斜視図であり、図１１は、図１０に示された地質調査用区画表示装置の平面を示した平面図である。
【００６２】
図１０及び図１１を参照すれば、本発明の第１の実施形態による地質調査用区画表示装置１は、水平調節部８０をさらに含むことができる。
【００６３】
水平調節部８０は、区画表示装置１を地表面に設置する時、区画表示装置１が傾かないで水平をなして地表面に固定されるようにする。一例として、水平調節部８０は、第１の水平計８１及び第２の水平計８２を含むことができる。第１の水平計８１は、ケース部１０の側面部１２の一側に具備され、第１の横方向を向けるように具備される。第２の水平計８２は、ケース部１０の側面部１２の他の一側に具備され、前記第１の横方向と交差または垂直の第２の横方向を向けるように具備される。第１の水平計８１及び第２の水平計８２は、透明な管内部に液体を満たし残った部分の気泡位置が表示度盛り中に位置するか否かを確認する手動式水平計を使用してもよいし、デジタル水平計を使用してもよい。
【００６４】
このように、水平調節部８０が具備される場合、区画表示装置１を地表面に設置する 場合に第１の水平計８１及び第２の水平計８２を確認しながら地表面に固定することができるので、区画表示装置１の傾くことなしに地表面に固定することができる。
【００６５】
＜第２の実施形態＞
図１２は、本発明の第２の実施形態による区画表示装置を説明するための分解斜視図である。
【００６６】
図１２を参照すれば、本発明の第２の実施形態による区画表示装置２は、ケース部１１０、固定軸部１２０、区画表示部１４０, １４０’、打ち込みピン部１５０、連結部１６０、固定ボルト１７０、水平調節部１８０及び表示ラインガイド部１９０を含むことができる。
【００６７】
本発明の第２の実施形態による区画表示装置２のケース部１１０、固定軸部１２０、区画表示部１４０, １４０’、打ち込みピン部１５０、連結部１６０、固定ボルト１７０及び水平調節部１８０は、図１乃至図１１を参照して説明した本発明の第１の実施形態による区画表示装置のケース部１０、固定軸部２０、区画表示部４０、４０’、打ち込みピン部５０、連結部６０、固定ボルト７０及び水平調節部８０とその構成が実質的に同一または類似なので、これらに対する具体的な説明は省略し、以下では表示ラインガイド部１９０を中心として説明する。
【００６８】
表示ラインガイド部１９０は、第１の表示ライン及び第２の表示ラインがお互いに直角をなして引き出されるように第１及び第２の表示ラインの引き出し方向をガイドすることができる。表示ラインガイド部１９０は、ケース部１１０の底面部１１１と打ち込みピン部１５０の支持板１５２との間に固定され、ケース部１１０の底面部１１１より大きい直径を有する円形プレート形状を有することができる。表示ラインガイド部１９０の中央には、打ち込みピン部１５０の打撃棒１５１が貫通する孔を形成される。また、表示ラインガイド部１９０の上部面には、第１の表示ラインの引き出し方向を示す第１のライン、第２の表示ラインの引き出し方向を示す第２のライン、隣接配置された区画表示装置の第１及び第２の表示ラインの引き出し方向を確認することができる第３のライン及び第４のラインを形成される。第１乃至第４のラインは、打撃棒１５１が貫通するための孔を中心としてお互いに垂直した方向に延長形成することができる。
【符号の説明】
【００６９】
１０：ケース
１１：底面部
１１ａ：挿入孔
１２：側面部
１２ａ：第１の引出孔
１２ｂ：第２の引出孔
１３：蓋部
１３ａ：孔
１４：貫通孔
２０：固定軸部
２１：隔板
２２：上部軸管
２２ａ：第１の切開部
２３：下部軸管
２３ａ：第２の切開部
２４：孔
４０：第１の区画表示部
４０’：第２の区画表示部
４１：第１のドラム
４１’：第２のドラム
４２：第１の復元スプリング
４２’：第２の復元スプリング
４３：第１の表示ライン
４３’：第２の表示ライン
５０：打ち込みピン部
５１：打撃棒
５２：支持板
５３：打ち込みピン
６０：連結部
６１：第１の連結フック
６２：第２の連結フック
６３：第１のフック連結環
６４：第２のフック連結環
７０：固定ボルト
８０：水平調節部
８１：第１の水平計
８２：第２の水平計
【図１】
0005414854.tif 000002
【図２】
0005414854.tif 000003
【図３】
0005414854.tif 000004
【図４】
0005414854.tif 000005
【図５】
0005414854.tif 000006
【図６】
0005414854.tif 000007
【図７】
0005414854.tif 000008
【図８】
0005414854.tif 000009
【図９】
0005414854.tif 000010
【図１０】
0005414854.tif 000011
【図１１】
0005414854.tif 000012
【図１２】
0005414854.tif 000013